(57)【要約】【課題】  従来の固定方式の封止方法よりもコストを下げるために、柔軟な封止方法を使用しても耐久性を高めて封止を保ちたい。【解決手段】  カメラ封止組立製品は開口部を備える第１の装置である。第１の装置が開口部を通る軸を定義する。第２の装置は第１の装置に対して固定した位置に配置される。第２の装置は第１の装置に軸に沿って離れて面する。バレルは開口部を通る。バレルが筒状のバレル壁を備える。カラーはバレル壁に面する側壁を備える。バレルがカラーに対し移動可能である。第１のリングとそれより大きい第２のリングとが交互に重なったリングは、第１の装置と第２の装置との間およびバレル壁と側壁との間に配置される。第１のリングはそれより大きい第２のリングに対して軸の半径方向に移動可能である。重なったリングは中心が合わされた状態を備えていて、各第１のリングが側壁よりもバレル壁のより近くに隣接して、各それより大きい第２のリングはバレル壁よりも側壁のより近くへ隣接する。【選択図】図１
2004191997.tif 000002
【特許請求の範囲】
【請求項１】
開口部を備えていて、上記開口部を通る軸を定義する第１の装置、
上記第１の装置に対して固定した位置に配置されていて、上記第１の装置に軸に沿って離れて面する第２の装置、
上記開口部を通り、筒状の壁を備えるバレル、
上記バレル壁に面する側壁を備えるカラー、
上記第１の装置と上記第２の装置との間および上記バレル壁と上記側壁との間に交互に配置された第１のリングとそれより大きい第２のリングを含む複数のリングとからなり、
上記バレルはカラーの内側を移動可能であり、上記複数のリングにおいて、上記第１のリングが上記第２のリングに対して上記軸の半径方向に移動可能であり、中心が合わされた状態では、各上記第１のリングが上記側壁よりも上記バレル壁の近くに隣接して、各上記第２のリングは上記バレル壁よりも上記側壁の近くへ隣接する
封止組立製品。
【請求項２】
開口部を備えていて、上記開口部を通る軸を定義する装置、
上記開口部を通り、上記軸と平行なバレル壁を備えたバレル、
上記バレル壁に面する側壁を備えるカラー、
第１のリングとそれより大きい第２のリングとが交互に、上記バレル壁と上記側壁との間に配置されている複数のリングであって、少なくとも３つのリングを備えていて、上記リングがお互いに固定されていない状態にある複数のリングとからなり、
上記バレルはカラーの内側を移動可能であり、中心が合わされた位置とオフセット位置との間で上記軸に対して半径方向に移動可能であって、上記バレルは上記中心が合わされた位置にあるとき、上記中心が合わされた位置が各上記第１のリングが上記側壁よりも上記バレル壁の近くに隣接して、各上記第２のリングは上記バレル壁よりも上記側壁の近くへ隣接する
封止組立製品。
【発明の詳細な説明】
【技術分野】
【０００１】
本発明は写真用カメラおよび写真用装置、および封止装置、特にカメラ前面の封止組立製品に関連する。
【背景技術】
【０００２】
封止は、水や埃の進入を防ぎ、光を遮断するために望遠式レンズおよび伸縮式レンズのバレル部分に長期間使用されてきた。多くの封止は比較的固く、そして接合部品間では強固に適合している。これは効果的なアプローチではあるが、許容誤差が増せばコストは抑えられる。コストを抑えるためのこの願望は、使用中前後に動く可撓性部分を備える封止の使用へとつながる。このアプローチも効果的ではあるが、上記封止はいくつかの制約を受ける。これは、可撓性部分を壊れやすくしすぎないために必要である。いくつかの例では、１つの制限は、光の侵入を遮断するために十分な封止の厚みを持たせることである。１つの制限は、使用中に作用位置にあるように、封止を形成する必要性である。比較的複雑な形状を有する封止を作成することは難しくないが、必要になるまで上記封止を在庫に保管する必要性により、負担が生じる。もうひとつの制限は、多くの封止が、部品の相対的移動の間に耐えねばならない摩擦荷重を課すことである。
【０００３】
特許文献１は、相対的に移動可能な部品の表面と、滑りながら接触する１対の傾いたフィンにより光を遮断するカメラを開示している。
【０００４】
回転部品間の光遮断を行うことはよく知られている。特許文献２は、フィルム・マガジンの芯と壁の間の複雑に入り組んだ封止を開示している。
【特許文献１】米国特許第６，０３８，０８７号
【特許文献２】米国特許第３，９０４，２８４号
【発明の開示】
【発明が解決しようとする課題】
【０００５】
それ故、本発明の目的は、光を遮断するが単純かつ安価であって、使用中、動かなくてよい封止組立製品を提供することである。
【課題を解決するための手段】
【０００６】
本発明は請求項により定義される。本発明は、広い意味では、開口部を含む第１の装置を備えたカメラ封止組立製品を提供する。第１の装置は開口部を通る軸を定義する。第２の装置は第１の装置に対して固定して位置に配置される。第２の装置は第１の装置に軸に沿って離れて面する。１つのバレルが開口部を通る。上記バレルは筒状のバレル壁を備える。カラーはバレル壁に面する側壁を備える。バレルはカラーに対して移動可能である。第１のリングとそれより大きい第２のリングが交互に重なったものが、第１の装置と第２の装置との間およびバレル壁と側壁との間に配置される。第１のリングはそれより大きい第２のリングに対して軸の半径方向へ移動可能である。重なったリングは、中心が合わされた状態を備えている。この状態では、第１の各リングが側壁よりもバレル壁のより近くに隣接して、それより大きい第２の各リングはバレル壁よりも側壁のより近くへ隣接する。
【発明の効果】
【０００７】
光を遮断するが単純かつ安価であって、使用中、動かなくてよい改良された封止組立製品を提供する。
【発明を実施するための最良の形態】
【０００８】
以下、添付の図を参照して発明の実施の形態を説明する。
【０００９】
封止組立製品１０は、１つの構造部分、すなわちバレル１２を備えていて、そのバレル１２は他の構造部分、すなわちカラー１４に対して移動する。移動は軸１６の半径方向への平行移動も含むことができ、また、軸１６に沿った平行移動または軸１６のまわりの回転またはこれら両方ともも含むことができる。封止組立製品１０は、移動中、バレル１２とカラー１４の間の光を遮断する封止を提供する。許された軸のずれの範囲内においては、封止組立製品１０は、ほとんどまたはまったくバレル１２に側壁荷重を課さない。レンズバレル移動はより滑らかでありまたより簡単である。なぜなら側壁荷重により発生する摩擦負荷が減り、または無くなるからである。
【００１０】
種々の構造が、バレル１２を「回転させること」または他の特徴としてここで説明される。バレル１２は、他の断面の形状を備えていてもよい。例えば楕円や角が丸められた正方形などである。開口部と他の特徴はバレル１２の断面の形状に合致される。ここでの議論の都合上、バレル１２は円形の断面を備えているものとして説明する。似た考えが、バレル１２の他の形状をもつ実施の形態に適用可能なことは理解される。同様に、用語「回転させること」は広い意味で使用されて、円形の形状を意味しない、また、円形形状に限られない。
【００１１】
次に図１〜５を参照すると、ある特定の実施の形態では、封止組立製品１０はカメラ１８の一部である。この場合バレル１２は、ズームレンズすなわち焦点合わせが可能なレンズ２０のレンズバレルである。カラー１４は前面カバー２２の一部である。バレル１２は筒状のバレル壁２４を備える。カラー１４はバレル壁２４に面する側壁２６を備える。封止リング３０の重なったリング２８は、バレル壁２４と側壁２６の間に配置される。リング３０は２つの装置３２，３４の間に挟まっている。図１〜５の実施の形態では、本体装置３２はレンズ本体３６の構造部分である。レンズ本体３６は、カメラ１８の前面カバー２２と後面カバー４０との間にある枠または筐体３８に取り付けられている。レンズ本体３６は筐体３８の固定された位置に取り付けられている。（用語「固定された」等は、ここでは、移動不可能で変化しない物理的位置または物理的関係の意味で使用されている。）
【００１２】
本実施の形態では、本体装置３２の反対は前面カバーの一部であるカバー装置３４である。前面カバー２２のカバー装置３４、カラー１４、および他の部品は、一体形成プラスチックの部品である。
【００１３】
各装置３２、３４は、各々開口部４２、４４のまわりに配置される、および区画する。バレル１２は２つの開口部４２、４４を通ってレンズ本体３６の中へも外へも移動可能である。バレル１２はバレル軸１６を定義する。カラー１４の開口部４２はレンズ本体軸４６を定義する。前面カバー２２の開口部４４は前面カバー開口部軸４８を定義する。図１３はレンズ本体３６、レンズバレル１２、および前面カバー２２の軸１６、４６、４８が一直線になった状態を図示する。軸１６、４６、４８が少なくともほぼ一直線になった状態は必須ではない。封止組立製品１０は、遮光性の劣悪化なしに軸のずれに適応可能である。図１４〜１６で示されているように、ずれは角度または半径方向への平行移動、またはその両方でありうる。
【００１４】
以下では一直線になった状態は、レンズバレル１２の軸１６およびカバー装置３４の軸４８に関してのみ一般的に議論される。これは議論を単純化し、加えて、図示された実施の形態に適用可能な実用的な考えを反映する。例えば図１〜５の実施の形態を参照すると、軸が一直線に近くなる状態は、一般的に、適切に機能するためにズーム・レンズ・システム２０の部品間で必要である。他方では、上記のようなレンズシステム２０とカバー２２との間の一直線に近くなる状態は、遮光性を提供するためおよび外部物質の侵入を防ぐために必要であること以外には、機能することにとって重要ではない。
【００１５】
リング３０は、第１のリング５０とそれより大きい第２のリング５２交互の重なったリング２８で提供される。リング３０は不透明であって、光の侵入を防ぐ複雑に入り組んだ封止を提供するように配置される。これは外部物質の侵入も防ぐ。空気中に浮遊する小さな汚染物質の侵入を防ぐために、もし望めば、装置‐装置間の近接したサイズが提供可能である。
【００１６】
図１〜４の実施の形態において、１つの第２のリング５２が２つのそれより小さい第１のリング５０の間に配置されて、計３つのリング３０である。図５〜８の実施の形態では２つの第２のリング５２と３つのそれより小さい第１のリング５０がある。これらの両方の実施の形態で、バレル壁２４とカバー装置３４との間で隙間５４が存在する。各重なったリング２８は、一番外側に第１のリング５０ａを備える。第１のリング５０ａは、リング３０の重なったリング２８内への外部物質の侵入を防ぐために隙間５４を埋める。これらの実施の形態では、隙間５６もカラー１４と本体装置３２との間に存在する。隙間５６は開いたままである。なぜなら第１のリング５０ｂが重なったリング２８の最も内側だからである。もし隙間５６が汚染問題を起こすならば、隙間５６を最も内側の第２のリング５２で埋めるために第２のリング５２が追加できる（または図５〜８の実施の形態の場合では取り除ける）。これは奇数の枚数のリングを変更する。図１〜４の実施の形態では３枚から偶数の２枚に、図５〜８の実施の形態では５枚から偶数の４枚に変更する。
【００１７】
３つ以上の多くのリングが望ましい。なぜなら、また、これは、光遮断機能を有する装置３２、３４のどちらかを含むことがなくても、２つの装置３２、３４間の空間の接近許容差の要求がなくても、光遮断を提供するからである。これより少ない数のリング３０の使用は、装置３２、３４に関する制約を増加させる。例えば、もし２つのリングだけが使用された場合、表面が粗い装置はいくらかの光の侵入を許してしまうかもしれない。３枚を超える追加のリング３０の使用は更なる光遮断の手段を与えるが、追加された機能はすぐに不十分になる。他方では、リング３０の数の変更は、各前面カバーと各レンズ本体とに適合する差異に対応するためにリング３０の製造に使用される。この場合、追加のリングは、望まれる許容範囲を備えて、装置３２、３４間で重なったリング２８の適合を維持する詰め金として作用する。
【００１８】
図示された実施の形態では、バレル壁２４と側壁２６の両方は、円筒である。これは限定しているのではない。壁２４、２６は、例えば角を丸めた正方形などの他の筒の形状を有していてもよい。バレル壁２４と側壁２６との両方が、例えば（異なる大きさの）円または角を丸めた正方形の、同じ断面形状を持つと便利だが、これは限定しているのではない。カラー１４の側壁２６はバレル壁２４とは異なる断面形状を持っていてよい。側壁２６も筒状である必要はない。側壁２６は、カバー軸４８に対して内方向にまたは外方向にステップがあるかスロープがあってもよいし、内方向へあるいは外方向へスロープがあってもよい。単純にするため、ここでの議論は、一般的に、側壁２６が筒状である実施の形態に限定する。他の形状も同様な方法で提供可能である。追加の部品が、カラー１４またはバレル１２、またはその両方から軸方向に伸びていてもよい。どのような上記部品も、バレル１２およびカラー１４に関連してここで議論されたような同じ制約に影響されない。
【００１９】
リング３０は各々対抗する内側と外側の縁を備えている。第１のリング５０の内縁５８は、各々バレル壁２４にきっちり隣接している。それより大きい第２のリング５２の外縁６０は、各々カラー側壁２６にきっちりと隣接している。リング３０は、バレル１２が第１と第２の装置の軸４６、４８に対して中心が合わされたとき、第１のリング５０の外縁６２は側壁２６から隙間があけられて、それより大きい第２のリング５２の内縁６４はバレル壁２４から隙間があけられるような大きさで造られる（図１３参照）。便利なように、内側のリング５０および外側のリング５２は、ここでは複数あるとする。ある特定の型のリング３０が１つだけ与えられたとき、似たような考え／応用が理解される。
【００２０】
重なったリング２８内で、第１のリング５０およびそれより大きい第２のリング５２は、互いに軸の方向へ移動可能である。この移動はカメラ１８の組立中またはカメラ１８の使用中にのみ起きてよい。例えば、組立中にのみ対応可能なレンズバレル１２とカバー２２との半径方向のずれは、使用中変ってはならない。代わりに、使用中、バレル１２とカバー２２が一直線になった状態を変更して、結果としてリング３０の移動となるが、カバー２２は曲がってもよい。同様に、使用中、リング３０は、カバー２２に対して角度でずれたレンズバレル１２の移動に従うために、移動可能である。
【００２１】
リング３０は、第２のリング５０およびそれより小さい第１のリング５２の相対的移動を許すように形作られる。図に示された実施の形態では、各リング３０は平板化されたワッシャーのように形作られる。他の形も望めば提供可能である。例えば、リング３０各々は同じ方法で曲げられる。
【００２２】
図示された実施の形態では、最も内側および最も外側のリング３０の表面６６、６８は各々装置に接触している。上記リング３０の残りの表面６６、６８および他のリング３０の表面６６、６８は、反対のタイプ、つまり第２のリングに対してそれより小さい第１のリング、および第１のリングに対してそれより大きい第２のリングのリング３０に接して配置されている。間隔を空けるものが、もし望めば、隣接するリング３０の間に提供可能である。しかし、これは、複雑に入り組んだ封止の光遮断効果が悪化する点で望ましくない。どの間隔を空けるものの外縁も、第２のリング５２の外縁よりも小さいし、どの間隔を空けるものの内縁も、それより小さい第１のリング５０の内縁より大きい。
【００２３】
第１のリング５０の内縁およびそれより大きい第２のリング５２の外縁は、各々バレル壁２４と側壁２６に接触可能である。これは必須ではない。とてもよい光遮断は、第１のリング５０が正確にバレル壁２４自身の厚みであるとき提供可能である。よい光遮断はより多くの重なったリング２８のリング３０の数の使用によっても提供可能である。これはバレル壁２４と第１のリング５２の間に少し大きめの隙間を伴う。同じ考えがそれより大きい第２のリング５２にも適用可能である。
【００２４】
リング３０は種々の物質から製造出来る。リング３０は非弾性的であることが非常に望まれる。なぜなら、弾性的なリングは、互いに滑らかにスライドするよりは固定されやすいからである。他方ではリング３０に可撓性があることは好ましい。なぜなら、これは、衝撃ダメージに対してある程度防護を提供するからである。本発明に特定の実施の形態では、リング３０は、例えばマイラー（商標）またはポリエチレン・テレフタレートなどのメッキされた非弾性的ポリマーから構成されている。
【００２５】
図６〜９はどのように封止組立製品１０がバレル１２の移動に対応するかを図示する。図６では、バレル１２はカバー装置の軸４８に中心が合わされる。大きなリング５０と小さなリング５２の重なりの程度は、重なったリング２８においてはすべて同等である。重なったリング２８のすべての点でリング３０は図６と似ている。バレル１２が半径方向に移動した時、大きなリング５０および小さなリング５２は互いに相対的に移動する。これは、バレル１２の移動がリング３０により止められるまで継続する。図８は、重なったリング２８の一部の、バレル１２が移動した方向への、大きなリング５０および小さなリング５２の重なりを図示している。ここではリング３０は最大に重なる状態である。大きなリング５０および小さなリング５２の内縁６４、５８はバレル壁２４に接していて、大きなリング５０および小さなリング５２の外縁６０、６２は側壁２６に接している。これは更なる移動を防ぐ。重なったリング２８の上記部分の反対側では、大きなリング５０および小さなリング５２は最大離されている。バレル１２の半径方向への移動は交互に異なる他の構造により限定可能である。上記の場合では、リング３０が図８〜９で示された図に達するのは不可能であるかもしれない。
【００２６】
図１０〜１２は、封止組立製品の部分のいくつかが変更された他の実施の形態を図示する。図１０では、カバー装置３４ａは、前面カバー２２の外側へ接着剤などにより固定されたリングから成る。本体装置３２は２つの部分を備える。レンズ本体３６の一部である第１の部分３２ａ、およびカラー１４から内側方向へ突き出るカバー２２の一部の第２の部分３２ｂである。図１１〜１２では、バレル１２とカラー１４は上記よりも異なる部分である。
【００２７】
図１１では、望遠レンズ２０ａが１対の封止組立製品１０を備える。望遠レンズ２０ａの２つの区分７０、７２は互いに相対的に軸方向へ移動するか、またはその代わりに、互いに相対的に軸方向へ移動して互いに相対的に回転する。最も外側の封止組立製品と共に、両装置３２、３４は内側のバレル１２ａに結合している。バレル壁２４は外側のバレル１２ａの外壁である。側壁２６は内側のバレル１２ｂの内壁である。最も内側の封止組立製品と共に、両装置３２、３４はレンズ本体３６に接合している。バレル壁２４は内側のバレル１２ｂの外部壁である。側壁２６はレンズ本体３６の一部である。
【００２８】
図１２では、封止組立製品１０は、カバー２２内の開口部４２を通るバレル１２に結合する曲がった取っ手７４を含む。その曲がった取っ手は内部部分７６と結合する。組立後、曲がった取っ手７４は回転するが、軸方向へは移動しない。装置３２ａ、３４ａは取っ手７４およびカバー２２の一部である。
【００２９】
発明の他の特徴は以下の番号が付された文で説明されている。
１．開口部を備えていて、上記開口部を通る軸を定義する第１の装置、上記第１の装置に対して固定した位置に配置されていて、上記第１の装置に軸に沿って離れて面する第２の装置、上記開口部を通り、筒状の壁を備えるバレル、上記バレル壁に面する側壁を備えるカラー、上記第１の装置と上記第２の装置との間および上記バレル壁と上記側壁との間に交互に配置された第１のリングとそれより大きい第２のリングを含む複数のリングとからなり、上記バレルはカラーの内側を移動可能であり、上記複数のリングにおいて、上記第１のリングが上記第２のリングに対して上記軸の半径方向に移動可能であり、中心が合わされた状態では、各上記第１のリングが上記側壁よりも上記バレル壁の近くに隣接して、各上記第２のリングは上記バレル壁よりも上記側壁の近くへ隣接する封止組立製品。
２．上記重なったリングが少なくとも３つのリングを備えることを特徴とする文１に記載の封止組立製品。
３．上記バレルが中心が合わされた位置とオフセット位置との間で上記軸に対して半径方向に移動可能なことを特徴とする文１に記載の封止組立製品。
４．上記バレルが上記カラーに対する上記軸に沿って移動可能なことを特徴とする文３に記載の封止組立製品。
５．上記バレルが上記カラーに対する上記軸の周りを回転可能なことを特徴とする文３に記載の封止組立製品。
６．上記カラーが上記装置の１つに結合されたことを特徴とする文１に記載の封止組立製品。
７．上記装置および上記カラーが各々上記バレルを取り囲むことを特徴とする文１に記載の封止組立製品。
８．上記リングが各々平らであることを特徴とする文１に記載の封止組立製品。
９．上記リングが各々柔軟であって非弾性的であることを特徴とする文１に記載の封止組立製品。
１０．上記リングが硬化されたポリマーから成ることを特徴とする文１に記載のカバー封止部品。
１１．上記リングが円形の文１に記載の封止組立製品。
１２．上記第１の装置および上記カラーが一片のカバー装置の一部であることを特徴とする文１に記載の封止組立製品。
１３．上記バレルがレンズバレルである文１２に記載の封止組立製品。
１４．開口部を備えていて、上記開口部を通る軸を定義する装置、上記開口部を通り、上記軸と平行なバレル壁を備えたバレル、上記バレル壁に面する側壁を備えるカラー、第１のリングとそれより大きい第２のリングとが交互に、上記バレル壁と上記側壁との間に配置されている複数のリングであって、少なくとも３つのリングを備えていて、上記リングがお互いに固定されていない状態にある複数のリングとからなり、上記バレルはカラーの内側を移動可能であり、中心が合わされた位置とオフセット位置との間で上記軸に対して半径方向に移動可能であって、上記バレルは上記中心が合わされた位置にあるとき、上記中心が合わされた位置が各上記第１のリングが上記側壁よりも上記バレル壁の近くに隣接して、各上記第２のリングは上記バレル壁よりも上記側壁の近くへ隣接する封止組立製品。
１５．上記リングが各々上記オフセット位置において上記バレル壁および上記側壁の両方に接することを特徴とする文１４に記載の封止組立製品。
１６．第２の装置を備え、上記リングが上記装置間に配置されることを特徴とする文１４に記載の封止組立製品。
１７．上記装置および上記カラー各々が上記バレルを取り囲むことを特徴とする文１６に記載の封止組立製品。
１８．上記リングが各々平らで不透明であることを特徴とする文１７に記載の封止組立製品。
１９．上記リングが柔軟で非弾性的であることを特徴とする文１８に記載の封止組立製品。
２０．上記バレルがレンズバレルであることを特徴とする文１８に記載の封止組立製品。
２１．上記リングが円形であることを特徴とする文２０に記載の封止組立製品。
【図面の簡単な説明】
【００３０】
【図１】封止組立製品の実施の形態の部分的に展開された斜視図
【図２】図１の封止組立製品を含むカメラの前部の斜視図
【図３】図２のカメラの部分的に展開された前部斜視図
【図４】図１の封止組立製品の上面図、ただし前面カバーおよび重なったリングについては断面図
【図５】図４の部分的拡大図
【図６】図５と同じ図であるが、封止組立製品の変更された実施の形態の図
【図７】レンズバレルがカバーの開口部により定義される軸に対して半径方向に最大平行移動した位置に示されることを除いて、変更された封止組立製品である図６の図４と同じ図
【図８】重なったリングの部分を示す図７の部分的拡大図
【図９】図８で示された重なったリングの反対部分を示す図７のもうひとつの部分的拡大図
【図１０】封止組立製品のもうひとつの実施の形態の上面拡大図、ただし前面カバーおよび封止スタックが示されているのは断面図
【図１１】封止組立製品のもうひとつの実施の形態の部分的に切削された上面図
【図１２】封止組立製品のもう１つの実施の形態の断面図
【図１３】レンズバレル、レンズ本体、および前面カバー開口部の軸が一直線に並んだ図１の封止組立製品の準概略図
【図１４】レンズバレルの軸が前面カバー開口部の軸に対して角度でずれて、レンズバレルの軸とレンズ本体の軸が一直線に並んだ図１３と同じ図
【図１５】レンズバレルの軸が前面カバー開口部の軸に対して半径方向にずれて、レンズバレルの軸とレンズ本体の軸が一直線に並んだ図１３と同じ図
【図１６】レンズバレルの軸が、前面カバー開口部の軸およびレンズ本体の軸に対して角度でずれて、レンズ本体の軸と前面カバー開口部の軸が一直線に並んだ図１３と同じ図
【符号の説明】
【００３１】
１０  封止組立製品
１２  バレル
１４  カラー
１６  バレル軸
１８  カメラ
２０  レンズ
２２  前面カバー
２４  バレル壁
２６  側壁
２８  重なったリング
３０  封止リング
３２  本体装置
３４  カバー装置
３６  レンズ本体
３８  筐体
４０  後面カバー
４２  開口部
４４  開口部
４６  レンズ本体軸
４８  カバー装置３４の軸
５０  第１のリング
５２  第２のリング
５８  第１のリング５０の内縁
６０  第２のリング５２の外縁
６２  第１のリング５０の外縁
６４  第２のリング５２の内縁
【図１】
2004191997.tif 000003
【図２】
2004191997.tif 000004
【図３】
2004191997.tif 000005
【図４】
2004191997.tif 000006
【図５】
2004191997.tif 000007
【図６】
2004191997.tif 000008
【図７】
2004191997.tif 000009
【図８】
2004191997.tif 000010
【図９】
2004191997.tif 000011
【図１０】
2004191997.tif 000012
【図１１】
2004191997.tif 000013
【図１２】
2004191997.tif 000014
【図１３】
2004191997.tif 000015
【図１４】
2004191997.tif 000016
【図１５】
2004191997.tif 000017
【図１６】
2004191997.tif 000018